(57)【特許請求の範囲】
【請求項１】
光を透過させる透光窓部材を配置するための窓孔が形成された研磨パッドであって、
前記透光窓部材と該透光窓部材の下面を支持する透光支持部材との間に、前記透光窓部材及び前記透光支持部材と共に光学系を形成し、変形後に元の形状に回復する形状記憶性を有するジェル状のポリエステル系エラストマーからなる補強部材を介在させたことを特徴とする研磨パッド。
【請求項２】
前記請求項１に記載の研磨パッドを貼設した研磨テーブルと、
被研磨物を保持して前記研磨テーブルの研磨パッドに押圧するトップリングとを備えたことを特徴とするポリッシング装置。
【発明の詳細な説明】
【０００１】
【発明の属する技術分野】
本発明は、研磨パッド、特に半導体基板等の被研磨物を平坦且つ鏡面状に研磨するための研磨パッドに関するものである。また、本発明は、かかる研磨パッドを備えたポリッシング装置に関するものである。
【０００２】
【従来の技術】
近年の半導体デバイスの高集積化に伴う配線の微細化、及び多層化の要求によって、半導体基板の表面の平坦度が要求されている。即ち、配線の微細化によって、光リソグラフィに用いる光の波長としてより短いものを使用するようになり、このような短波長の光は基板上の焦点位置での許容される高低差がより小さくなる。従って、焦点位置での高低差が小さいこと、即ち基板表面の高い平坦度が必要となってくる。このため、化学機械研磨（ＣＭＰ）により半導体基板の表面の凹凸を除去してその表面を平坦化することが行われている。
【０００３】
上記化学機械研磨においては、所定時間の研磨を行なった後に所望の位置で研磨を終了する必要がある。例えば、ＣｕやＡｌなどの金属配線の上部にＳｉＯ２等の絶縁層（この後の工程で絶縁層の上に更に金属などの層を形成するため、このような絶縁層は層間膜と呼ばれる。）を残したい場合がある。このような場合、研磨を必要以上に行なうと下層の金属膜が表面に露出してしまうので、層間膜を所定の膜厚だけ残すように研磨を終了する必要がある。
【０００４】
また、半導体基板上に予め所定パターンの配線用の溝を形成しておき、その中にＣｕ（銅）又はその合金を充填した後に、表面の不要部分を化学機械研磨（ＣＭＰ）により除去する場合がある。Ｃｕ層をＣＭＰプロセスにより研磨する場合、配線用溝の内部に形成されたＣｕ層のみを残して半導体基板からＣｕ層を選択的に除去することが必要とされる。即ち、配線用の溝部以外の箇所では、（ＳｉＯ２などからなる）絶縁膜が露出するまでＣｕ層を除去することが求められる。
【０００５】
この場合において、過剰研磨となって、配線用の溝内のＣｕ層を絶縁膜と共に研磨してしまうと、回路抵抗が上昇し、半導体基板全体を廃棄しなければならず、多大な損害となる。逆に、研磨が不十分で、Ｃｕ層が絶縁膜上に残ると、回路の分離がうまくいかず、短絡が起こり、その結果、再研磨が必要となり、製造コストが増大する。このような事情は、Ｃｕ層に限らず、Ａｌ層等の他の金属膜を形成し、この金属膜をＣＭＰプロセスで研磨する場合も同様である。
【０００６】
このため、光学式センサを用いてＣＭＰプロセスの加工終点を検出することがなされている。即ち、投光素子と受光素子とを備えた光学式センサを設置し、この光学式センサから半導体基板の被研磨面に光を照射する。そして、被研磨面における光の反射率の変化を検知して被研磨面上の絶縁膜や金属膜の膜厚を測定し、ＣＭＰプロセスの加工終点を検出している。
【０００７】
研磨テーブルの上面に貼設される研磨パッドは、通常、光の透過率が低い。従って、研磨パッドの下方から半導体基板の被研磨面に光を照射する場合には、光を透過させるために透過率の高い透光窓部材を研磨パッドに設置し、この透光窓部材を介して光学式センサからの光が半導体基板の被研磨面に照射される。
【０００８】
図１４は、上述した透光窓部材を含む従来の２層研磨パッドの部分拡大断面図である。研磨パッド３１０は上層パッド３１１と下層パッド３１２とから構成されており、上層パッド３１１には、透光窓部材３４１を配置するための窓孔３１１ａが形成されている。また、下層パッド３１２には、この窓孔３１１ａよりも小さな径の通光孔３１２ａが形成されている。これら径の異なる孔３１１ａ，３１２ａによって段部３１３が形成されている。
【０００９】
このような研磨パッド３１０を製作する場合には、上層パッド３１１の下面と下層パッド３１２の上面にそれぞれ接着剤を塗布し、上層パッド３１１と下層パッド３１２とを上下方向に押圧してこれらを接着する。そして、窓孔３１１ａに透光窓部材３４１を嵌め込む。この透光窓部材３４１は段部３１３の上面に塗布された接着剤によって下層パッド３１２に接着される。
【００１０】
【発明が解決しようとする課題】
しかしながら、研磨時の研磨圧力により透光窓部材が撓んでしまうと、光が十分に透光窓部材を透過しなかったり、透光窓部材内で散乱してしまったりして、正確且つ安定的な膜厚測定ができない場合がある。
【００１３】
本発明は、このような従来技術の問題点に鑑みてなされたもので、光学式センサによる膜厚の測定を正確に且つ安定して行なうことができる研磨パッドを提供することを目的とする。また、本発明は、かかる研磨パッドを備えたポリッシング装置を提供することを目的とする。
【００２３】
【課題を解決するための手段】
このような従来技術による問題点を解決するため、本発明の第１の態様は、光を透過させる透光窓部材を配置するための窓孔が形成された研磨パッドであって、前記透光窓部材と該透光窓部材の下面を支持する透光支持部材との間に、前記透光窓部材及び前記透光支持部材と共に光学系を形成し、変形後に元の形状に回復する形状記憶性を有するジェル状のポリエステル系エラストマーからなる補強部材を介在させたことを特徴とする研磨パッドである。
【００２４】
研磨時の研磨圧力により透光窓部材が撓んでしまうと、光が十分に透光窓部材を透過しなかったり、透光窓部材内で散乱してしまったりして、正確且つ安定的な膜厚測定ができない場合がある。上述のように、透光窓部材と透光支持部材との間に柔軟性に優れた補強部材を介在させることで、透光窓部材の支持が補強され、これにより研磨時の研磨圧力により透光窓部材が撓んでしまうことが防止される。従って、光学式センサによる膜厚の測定を正確に且つ安定して行なうことが可能となる。また、上記補強部材は密着性に優れているため、光学式センサのための光学系を維持して正確且つ安定的な膜厚測定を行なうことができる。
【００２６】
また、本発明の第２の態様は、上記研磨パッドを貼設した研磨テーブルと、被研磨物を保持して上記研磨テーブルの研磨パッドに押圧するトップリングとを備えたことを特徴とするポリッシング装置である。
【００２９】
【発明の実施の形態】
研磨パッドを備えたポリッシング装置の一例について図１乃至図７を参照して詳細に説明する。
図１は、ポリッシング装置の全体構成を示す概略図である。図１に示すように、ポリッシング装置は、上面に研磨パッド１０が貼設された研磨テーブル２０と、被研磨物である半導体基板Ｗを保持して研磨パッド１０の上面に押圧するトップリング３０とを備えている。研磨パッド１０の上面は、被研磨物である半導体基板Ｗと摺接する研磨面を構成している。なお、微細な砥粒（ＣｅＯ２等からなる）を樹脂等のバインダで固めた固定砥粒板の上面を研磨面として構成することもできる。
【００３０】
研磨テーブル２０は、その下方に配置されるモータ２１に連結されており、矢印で示すようにその軸心回りに回転可能になっている。また、研磨テーブル２０の上方には研磨液供給ノズル２２が設置されており、この研磨液供給ノズル２２から研磨パッド１０上に研磨液Ｑが供給されるようになっている。
【００３１】
トップリング３０は、トップリングシャフト３１に連結されており、このトップリングシャフト３１を介してモータ及び昇降シリンダ（図示せず）に連結されている。これによりトップリング３０は、矢印で示すように昇降可能且つトップリングシャフト３１回りに回転可能となっている。また、トップリング３０はその下面にポリウレタン等の弾性マット３２を備えており、この弾性マット３２の下面に、被研磨物である半導体基板Ｗが真空等によって吸着、保持される。このような構成により、トップリング３０は自転しながら、その下面に保持した半導体基板Ｗを研磨パッド１０に対して任意の圧力で押圧することができるようになっている。なお、トップリング３０の下部外周部には、半導体基板Ｗの外れ止めを行なうガイドリング３３が設けられている。
【００３２】
図１に示すように、研磨テーブル２０の内部には、半導体基板Ｗの被研磨面に形成された絶縁膜や金属膜の膜厚を測定する光学式センサ４０が設置されている。この光学式センサ４０は、投光素子と受光素子を備えており、投光素子から半導体基板Ｗの被研磨面に光を照射し、被研磨面からの反射光を受光素子で受光するように構成されている。この場合、投光素子から発せられる光は、レーザー光又はＬＥＤによる光であり、場合によっては白色光も考えられる。
【００３３】
ここで、研磨パッド１０には、光学式センサ４０の光を透過させるための円柱状の透光窓部材４１（例えば外径１８ｍｍ）が取付けられている。図２は、透光窓部材４１を含む研磨パッド１０の部分拡大断面図である。この研磨パッド１０は、上層パッド１１と下層パッド１２とを有しており、２層構造の研磨パッドとなっている。例えば、上層パッド１１としてロデール社製のＩＣ−１０００などの発泡ポリウレタン、下層パッド１２としてロデール社製のＳＵＢＡ４００などの不織布などを用いることができる。また、透光窓部材４１は、透過率の高い材質で形成されており、例えば、無発泡ポリウレタンなどにより形成される。通常、上層パッドとしては硬質なものが使用され、下層パッドとしては上層パッドに比べて軟質なものが使用される。
【００３４】
図２に示すように、透光窓部材４１は、上層パッド１１に形成された窓孔１１ａ内に配置されている。下層パッド１２には、上記窓孔１１ａと略同径の通光孔１２ａが形成されている。そして、上層パッド１１と下層パッド１２との間には、上下面に接着剤を塗布した透明接着フィルム１３が配置されており、この透明接着フィルム１３によって上層パッド１１と下層パッド１２とが互いに接着されている。この透明接着フィルム１３としては、例えば、厚さ５０μｍのＰＥＴ（ポリエチレンテレフタレート）芯体の上下面にアクリルゴム系粘着剤を塗布したものを用いることができる。
【００３５】
このとき、透光窓部材４１の下面は全面に亘って透明接着フィルム１３に接触しており、透光窓部材４１の下面全面が透明接着フィルム１３に接着される。このため、透光窓部材４１の接着面積が従来のものに比べて大きくなるので、接着強度を高めることができ、透光窓部材４１が研磨パッド１０から剥がれることを防止することができる。従って、研磨液Ｑの透光窓部材４１の下面へのリークがなくなるので、高品質の研磨を実現すると共に、光学式センサ４０による膜厚の測定を正確に且つ安定して行なうことが可能となる。
【００３６】
また、透光窓部材４１と下層パッド１２とは透明接着フィルム１３によって完全に分離された構造となり、透光窓部材４１と光学式センサ４０との間に透過率の低い研磨液が入り込むことを防止することができるので、光学式センサ４０による膜厚の測定を正確に且つ安定して行なうことが可能となる。
【００３７】
ところで、光学式センサ４０の配線４２は、研磨テーブル２０及び研磨テーブル支持軸２０ａ内を通り、研磨テーブル支持軸２０ａの軸端に設けられたロータリコネクタ４３を経由してコントローラ４４に接続されている。このコントローラ４４は表示装置（ディスプレイ）４５に接続されている。あるいは、図示しない無線信号伝達手段によりセンサ４０からコントローラ４４に膜厚測定信号を伝えることとしてもよい。
【００３８】
図３は、図１に示すポリッシング装置の研磨テーブル２０の平面図である。図３において、符号ＣＴは研磨テーブル２０の回転中心であり、符号ＣＷはトップリング３０に保持された半導体基板Ｗの中心である。図３に示すように、研磨テーブル２０内の光学式センサ４０は、トップリング３０に保持された研磨中の半導体基板Ｗの中心ＣＷを通過する位置に配置されている。光学式センサ４０は、半導体基板Ｗの下方を通過している間、通過軌跡上で連続的に半導体基板Ｗの被研磨面の膜厚を検出できるようになっている。なお、検出時間の間隔を短くするため、図３の仮想線で示すように光学式センサ４０を追加してテーブル上に２ヶ以上の光学式センサを設けてもよい。
【００３９】
研磨テーブル２０が一回転する毎に、光学式センサ４０の投光素子からの光が透光窓部材４１を通過して半導体基板Ｗの被研磨面に投光され、被研磨面からの反射光が光学式センサ４０の受光素子で受光される。そして、受光素子で受光された光は、コントローラ４４により処理され、被研磨面上の膜厚が測定される。
【００４０】
ここで、光学式センサを用いてＳｉＯ２等の絶縁膜やＣｕ，Ａｌ等の金属膜の膜厚を検出する原理を簡単に説明する。光学式センサにおける膜厚測定の原理は、膜とその隣接媒体によって引き起こされる光の干渉を利用している。基板上の薄膜に光を入射すると、まず一部の光は膜の表面で反射され、残りは透過していく。この透過した光の一部は更に基板面で反射され、残りは透過していくが、基板が金属の場合には吸収されてしまう。干渉はこの膜の表面反射光と基板面反射光の位相差によって発生し、位相が一致した場合は互いに強め合い、逆になった場合は弱め合う。つまり入射光の波長、膜厚、膜の屈折率に応じて反射強度が変化する。基板で反射した光を回折格子等で分光し、各波長における反射光の強度をプロットしたプロファイルを解析して基板上に形成された膜の厚みを測定することができる。
【００４１】
また、別の光学式センサの方式として、基板上の薄膜に単色光（単一波長光）もしくは白色光を入射し、その際、薄膜表面の反射率と基板表面の反射率とを重ね合わせた反射率を反射光によって測定することとしてもよい。反射率は研磨される膜の膜厚や膜種により変化するので、その反射率の変化点を監視することで加工終点を検出することができる。
【００４２】
次に、上述の研磨パッド１０の製造工程について説明する。
▲１▼発泡ポリウレタンからなる上層パッド１１を用意し、所定の位置に窓孔１１ａを形成する（図４）。
▲２▼上層パッド１１の窓孔１１ａに無発泡ポリウレタン１４を流し込み、この無発泡ポリウレタン１４と上層パッド１１とを溶着（接着）させる（図５）。これによって、窓孔１１ａ内に無発泡ポリウレタンからなる透光窓部材４１が形成される。なお、窓孔１１ａに対応した形状の透光窓部材４１を別途製作しておいて、これを上記窓孔１１ａに嵌め込むこととしてもよい。
▲３▼このようにしてできた上層パッド１１及び透光窓部材４１を所定の厚さ（例えば１．９ｍｍ）にスライスする（図６）。
▲４▼下層パッド１２に上層パッド１１の窓孔１１ａと同径の通光孔１２ａを形成し、この下層パッド１２と上記スライスされた上層パッド１１との間に、上下面に接着剤を塗布した透明接着フィルム１３を配置する（図７）。
▲５▼上層パッド１１と下層パッド１２とを上下方向に押圧することによって、上層パッド１１と下層パッド１２とが接着され、図２に示すような研磨パッド１０が完成する。
【００４３】
ここで、上層パッド１１の窓孔１１ａに無発泡ポリウレタン１４を流し込んで透光窓部材４１を形成した場合には、透光窓部材４１と上層パッド１１との間に隙間が生じないように研磨パッド１０を形成することが可能となる。従って、透光窓部材４１と上層パッド１１との間の隙間に研磨液が固着することがなく、研磨液の固着に起因する半導体基板Ｗのスクラッチを防止することが可能となる。
【００４４】
次に、上記構成のポリッシング装置の研磨動作について説明する。
トップリング３０の下面に保持された半導体基板Ｗは、回転している研磨テーブル２０の上面の研磨パッド１０に押圧される。このとき、研磨液供給ノズル２２から研磨パッド１０上に研磨液Ｑを供給する。これによって、半導体基板Ｗの被研磨面（下面）と研磨パッド１０の間に研磨液Ｑが存在した状態でポリッシングが行われる。
【００４５】
この研磨中に、研磨テーブル２０が一回転する毎に、光学式センサ４０が半導体基板Ｗの被研磨面の直下を通過する。光学式センサ４０は、半導体基板Ｗの中心ＣＷを通る軌道上に設置されているため、光学式センサ４０の移動に伴って半導体基板Ｗの被研磨面の円弧状の軌道上で連続的に膜厚検出が可能である。即ち、光学式センサ４０の投光素子からの光が研磨パッド１０の下層パッド１２の通光孔１２ａ及び透光窓部材４１を通って半導体基板Ｗの被研磨面に到達する。被研磨面における反射光は光学式センサ４０の受光素子で受光され、被研磨面の膜厚が測定される。光学式センサ４０の信号を処理し、モニタすることにより所定厚の薄膜に研磨されたことが検出され、ＣＭＰプロセスの加工終点を決定することができる。
【００４６】
上述の例では、２層研磨パッドを例として説明したが、研磨パッドはこれに限られず、３層以上の多層研磨パッドを用いることができる。この場合には、透光窓部材の下面に接触する位置に透明接着フィルムを配置すればよい。
【００４７】
また、上述の例では、研磨テーブル上に貼設された研磨パッドを使用する例について説明したが、これに限られるものではない。例えば、図８に示すように、研磨面としてベルト状の研磨パッド５１を備えたポリッシング装置であってもよい。図８に示すポリッシング装置においては、表面に砥粒を有するベルト（研磨パッド）５１が２つの回転ドラム５２，５３間に張設されており、この回転ドラム５２，５３が回転することにより、ベルト５１が矢印５４方向に循環回転運動又は往復直線運動を行なう。上下のベルト間には支持台５５が配置されており、トップリング５６に保持された半導体基板Ｗがベルト５１及び支持台５５に対して押圧され、その表面が研磨される。支持台５５には図示しない光学式センサが埋設され、この光学式センサによってトップリング５６に保持された半導体基板Ｗに光を入射してその反射光を測定して半導体基板Ｗの被研磨面に形成された絶縁膜や金属膜の膜厚が測定される。このようなポリッシング装置においても、研磨パッド５１の上記光学式センサに対応する位置に透光窓部材４１を取付けることができる。
【００４８】
次に、研磨パッドの他の例について図９及び図１０を参照して詳細に説明する。図９は研磨パッドを示す部分拡大断面図、図１０は図９に示す研磨パッドの底面図である。なお、上述の例における部材又は要素と同一の作用又は機能を有する部材又は要素には同一の符号を付し、特に説明しない部分については上述と同様である。
【００４９】
上述した例における透光窓部材４１は、上層パッド１１（ＩＣ−１０００）と同質の硬質なポリウレタンなどにより形成されているので、ドレッサにより研磨パッド１０の表面を再生（ドレッシング）した場合には、透光窓部材４１の表面にスクラッチが入ることがある。このようなスクラッチは、研磨時に半導体基板にスクラッチが入る原因となり得る。
【００５０】
また、上述した例においては、透光窓部材４１の下部は薄膜の透明接着フィルム１３によって支持されるだけである（図２参照）。従って、研磨パッド１０のドレッシング時においては、透明接着フィルム１３の弾性により透光窓部材４１が下方に押し下げられた状態で、研磨パッド１０の表面がドレッサにより削られる。ドレッシング終了後は、透明接着フィルム１３の弾性により透光窓部材４１が元の位置に押し上げられるため、ドレッシングにより削られた分だけ透光窓部材４１が研磨パッド１０の表面から突出してしまう。上述したように、透光窓部材４１は硬質の材料から形成されているため、透光窓部材４１が研磨パッド１０の表面から突出した状態で半導体基板の研磨を行なうと、半導体基板を傷つけてしまうおそれがある。
【００５１】
これらの観点から、この例においては、透光窓部材１４１を上層パッド１１（ＩＣ−１０００）よりも軟質な材料、より好ましくは、上層パッド１１よりも軟質であり且つ下層パッド１２よりも硬質な材料から形成し、このような軟質の透光窓部材１４１を上層パッド１１の窓孔１１ａに配置している。上層パッド１１よりも軟質な透光窓部材１４１を用いることにより、研磨パッド１１０のドレッシング時に透光窓部材１４１の表面にスクラッチが入りにくくなるので、研磨時に半導体基板にスクラッチが入ることを防止することができる。また、透光窓部材１４１が軟質であるので、ドレッシング終了後に透光窓部材１４１が研磨パッド１１０の表面から突出することとなっても、研磨時に半導体基板が傷つきにくくなる。
【００５２】
また、この例では、図９に示すように、透光窓部材１４１の下方に、シール性及び弾力性に優れた支持シール材１２０が配置されている。この支持シール材１２０は、図１０に示すように環状をなしており、下層パッド１２の通光孔１２ａの内周面に設けられている。この例における支持シール材１２０は、シール性及び弾力性に優れた接着剤から構成されている。
【００５３】
このように、透光窓部材１４１は、シール性に優れた支持シール材１２０によって支持されるので、透光窓部材１４１の下面への研磨液のリークが少なくなり、高品質の研磨を実現すると共に、光学式センサによる膜厚の測定を正確に且つ安定して行なうことが可能となる。また、支持シール材１２０により透光窓部材１４１と光学式センサとの間に透過率の低い研磨液が入り込むことが防止されるため、光学式センサによる膜厚の測定を正確に且つ安定して行なうことが可能となる。更に、透光窓部材１４１は、弾力性に優れた支持シール材１２０によって強固に支持されるので、研磨パッド１１０のドレッシング時に透光窓部材１４１が下方に押し下げられにくくなり、ドレッシング終了後における透光窓部材１４１の突出を防止することができる。従って、上述した透光窓部材１４１を軟質の材料で形成することと相俟って、半導体基板のスクラッチをより効果的に防止することが可能となる。
【００５４】
なお、この例においては、透光窓部材１４１と上層パッド１１及び下層パッド１２とは、シール性に優れた接着剤１３０により接着されており、透光窓部材１４１と上層パッド１１及び下層パッド１２との間に隙間が生じないようにしている。従って、透光窓部材１４１と上層パッド１１及び下層パッド１２との間の隙間に研磨液が固着することがなく、研磨液の固着に起因する半導体基板のスクラッチが防止される。
【００５５】
次に、本発明に係る研磨パッドの実施形態について図１１を参照して詳細に説明する。図１１は、本発明の実施形態における研磨パッドを示す部分拡大断面図である。なお、上述の例における部材又は要素と同一の作用又は機能を有する部材又は要素には同一の符号を付し、特に説明しない部分については上述と同様である。
【００５６】
図１１に示すように、本実施形態における透光窓部材２４１は、アクリル樹脂などからなる透光支持部材２２０によって支持されている。ここで、透光窓部材２４１と透光支持部材２２０との間には、柔軟性及び密着性に優れた補強部材２３０（例えば、屈折率１〜２程度）が配置されている。この補強部材２３０としては、例えば厚さ１．２７ｍｍ（５０ｍｉｌ）のジェル状のエラストマーを用いることができる。これらの透光窓部材２４１、補強部材２３０、及び透光支持部材２２０により、図１１に示すような光学系（例えば、屈折率１．４）が形成されており、例えば、波長８００ｎｍのレーザー光源から鉛直方向に対して６°〜４８°の角度でレーザー光を半導体基板に入射することにより基板の膜厚が測定される。
【００５７】
ここで、研磨時の研磨圧力により透光窓部材が撓んでしまうと、光が十分に透光窓部材を透過しなかったり、透光窓部材内で散乱してしまったりして、正確且つ安定的な膜厚測定ができない場合がある。例えば平均粒子径が約０．２μｍと大きいセリアスラリー（ＣｅＯ２）を砥粒として用いた場合には、通常でも半導体基板に光が届きにくいので、なおさらである。本実施形態では、上述したように、透光窓部材２４１と透光支持部材２２０との間に柔軟性に優れた補強部材２３０を介在させることで、透光窓部材２４１の支持が補強され、これにより研磨時の研磨圧力により透光窓部材２４１が撓んでしまうことが防止される。なお、補強部材２３０は、下層パッド１２（ＳＵＢＡ４００）と同程度の柔軟性を有することが好ましい。
【００５８】
また、上記補強部材２３０は密着性に優れているため、上述した光学系を維持して正確且つ安定的な膜厚測定を行なうことができる。補強部材２３０の内部に気泡が発生すると光の散乱を招くので、補強部材２３０は気泡を発生しないものが好ましい。また、補強部材２３０は、変形後に元の形状に回復する性質（形状記憶性）を有することが好ましく、例えばポリエステル系エラストマーなどの形状記憶性を有するエラストマーを補強部材２３０として用いることが好ましい。
【００５９】
図１１においては、透光支持部材２２０の上部に設けられた凸部２２０ａにより補強部材２３０を支持した例を説明したが、透光支持部材２２０に凸部２２０ａを設けずに例えば図１２のような構成としてもよい。また、補強部材２３０の外径も図１１及び図１２に示したものに限られるものではなく、例えば図１３に示すように、透光支持部材２２０、透光窓部材２４１、及び補強部材２３０の外径を同一に構成してもよい。なお、光の散乱を少なくして、より正確な膜厚測定を行なうためには、図１１及び図１２に示すように、Ｘｅ（キセノン）やハロゲンなどの光源からほぼ鉛直に光を半導体基板に入射して基板の膜厚を測定することが好ましい。
【００６０】
上述した実施形態では、２層研磨パッドを例として説明したが、研磨パッドはこれに限られず、３層以上の多層研磨パッド、あるいは単層研磨パッドであってもよい。
【００６１】
これまで本発明の一実施形態について説明したが、本発明は上述の実施形態に限定されず、その技術的思想の範囲内において種々異なる形態にて実施されてよいことは言うまでもない。
【００６６】
【発明の効果】
研磨時の研磨圧力により透光窓部材が撓んでしまうと、光が十分に透光窓部材を透過しなかったり、透光窓部材内で散乱してしまったりして、正確且つ安定的な膜厚測定ができない場合がある。上述のように、透光窓部材と透光支持部材との間に柔軟性に優れた補強部材を介在させることで、透光窓部材の支持が補強され、これにより研磨時の研磨圧力により透光窓部材が撓んでしまうことが防止される。従って、光学式センサによる膜厚の測定を正確に且つ安定して行なうことが可能となる。また、上記補強部材は密着性に優れているため、光学式センサのための光学系を維持して正確且つ安定的な膜厚測定を行なうことができる。
【図面の簡単な説明】
【図１】  ポリッシング装置の全体構成を示す概略図である。
【図２】  研磨パッドを示す部分拡大断面図である。
【図３】図１に示すポリッシング装置の研磨テーブルの平面図である。
【図４】図２に示す研磨パッドの製造過程を示す縦断面図である。
【図５】図２に示す研磨パッドの製造過程を示す縦断面図である。
【図６】図２に示す研磨パッドの製造過程を示す縦断面図である。
【図７】図２に示す研磨パッドの製造過程を示す縦断面図である。
【図８】  他のポリッシング装置を示す斜視図である。
【図９】  他の研磨パッドを示す部分拡大断面図である。
【図１０】図９に示す研磨パッドの底面図である。
【図１１】  本発明の実施形態における研磨パッドを示す部分拡大断面図である。
【図１２】  本発明の実施形態における研磨パッドの変形例を示す部分拡大断面図である。
【図１３】  本発明の実施形態における研磨パッドの変形例を示す部分拡大断面図である。
【図１４】従来の研磨パッドを示す部分拡大断面図である。
【符号の説明】
１０    研磨パッド
１１    上層パッド
１１ａ  窓孔
１２    下層パッド
１２ａ  通光孔
１３    透明接着フィルム
２０    研磨テーブル
２０ａ  研磨テーブル支持軸
２１    モータ
２２    研磨液供給ノズル
３０    トップリング
３１    トップリングシャフト
３２    弾性マット
３３    ガイドリング
４０    光学式センサ
４１，１４１，２４１    透光窓部材
４２    配線
４３    ロータリコネクタ
４４    コントローラ
４５    表示装置
１２０    支持シール材
１３０    接着剤
２２０    透光支持部材
２３０    補強部材
【図１】
0004131632.tif 000002
【図２】
0004131632.tif 000003
【図３】
0004131632.tif 000004
【図４】
0004131632.tif 000005
【図５】
0004131632.tif 000006
【図６】
0004131632.tif 000007
【図７】
0004131632.tif 000008
【図８】
0004131632.tif 000009
【図９】
0004131632.tif 000010
【図１０】
0004131632.tif 000011
【図１１】
0004131632.tif 000012
【図１２】
0004131632.tif 000013
【図１３】
0004131632.tif 000014
【図１４】
0004131632.tif 000015